(57)【要約】【課題】施工の際に光源と本体ユニットとの電気的な接続が必要なく、本体ユニットが天井などの被取付部に取り付けられた後に光源の落下が防止できる照明機器を得ることを目的とする。【解決手段】照明機器は、本体ユニットと、光源と、点灯装置と、光源保持部と、出射部材と、カバー部取付部材と、点灯装置、光源保持部、出射部材及びカバー部取付部材を収納するとともに、出射部材を露出させる出射口が形成されたカバー部と、出射口の隙間を塞ぐパッキンと、を備え、カバー部は、カバー部取付部材にねじで締結されることにより、本体ユニット側に引き寄せられ、パッキンは、カバー部がカバー部取付部材に締結された状態で、出射口を囲むカバー部、出射部材及び光源保持部に密着する。【選択図】図２
2020177750.tif 000002
【特許請求の範囲】
【請求項１】
被取付部に取り付けられる本体ユニットと、
光を照射する光源と、
前記本体ユニットに取り付けられ、前記光源を点灯させる点灯装置と、
前記光源を保持した光源保持部と、
前記光源から出射される光の配光を制御する出射部材と、
前記本体ユニットに取り付けられ、前記光源保持部を前記出射部材側に支持するカバー部取付部材と、
前記点灯装置、前記光源保持部、前記出射部材及び前記カバー部取付部材を収納するとともに、前記出射部材を露出させる出射口が形成されたカバー部と、
前記出射口の隙間を塞ぐパッキンと、
を備え、
前記カバー部は、前記カバー部取付部材にねじで締結されることにより、前記本体ユニット側に引き寄せられ、
前記パッキンは、前記カバー部が前記カバー部取付部材に締結された状態で、前記出射口を囲む前記カバー部、前記出射部材及び前記光源保持部に密着する照明器具。
【請求項２】
被取付部に取り付けられる本体ユニットと、
光を照射する光源と、
前記本体ユニットに取り付けられ、前記光源を点灯させる点灯装置と、
前記光源を保持する光源保持部と、
前記光源から出射される光の配光を制御する出射部材と、
前記本体ユニットに取り付けられ、前記光源保持部を前記出射部材側に支持する支持部材と、
前記点灯装置、前記光源保持部、前記出射部材及び前記支持部材を収納するとともに、前記出射部材を露出させる出射口が形成されたカバー部と、
前記出射口の隙間を塞ぐパッキンと、
を備え、
前記カバー部は、前記本体ユニットにねじで締結されることにより、前記本体ユニット側に引き寄せられ、
前記パッキンは、前記カバー部が前記本体ユニットに締結された状態で、前記出射口を囲む前記カバー部、前記出射部材及び前記光源保持部に密着する照明器具。
【請求項３】
前記パッキンは、前記カバー部に配置されて組み立てられている請求項１又は請求項２に記載の照明器具。
【請求項４】
前記ねじは、シールワッシャーを付加させて締結されている請求項１〜請求項３のいずれか１項に記載の照明器具。
【請求項５】
前記カバー部取付部材は、略下方からの投影視にて、前記本体ユニットに設けられた器具取付孔と重ならない位置に配置されている請求項１又は請求項１に従属する請求項３又は請求項４に記載の照明器具。
【発明の詳細な説明】
【技術分野】
【０００１】
本発明は、防水性能を発揮する照明器具に関する。
【背景技術】
【０００２】
軒下又は屋外などに設置される照明として、防水性能を求められる照明器具がある。特に非常用照明器具に関しては、防水性能に加えて、火災及び地震の災害時などに起きる停電状態においても、避難時に必要とされる照度を維持することが要求されている。
【０００３】
このような防水性能を有する照明器具は、照明器具の筐体を防水構造に構成し、点灯装置、蓄電池その他の防水性能の無い部材を筐体の内部に収納する。これにより、照明器具は、内部への水の浸入を防ぎ、防水性能の無い部材を保護している。
【０００４】
特許文献１には、カバー部に形成された出射口と、出射口から露出する出射部材と、に密着する環状パッキンを有する光源部を有する照明器具が開示されている。照明器具は、光源部をカバー部に加圧スペーサによって密着させて取り付けて光源ユニットを構成している。これにより、照明器具は、出射口の防水性能を確保している。
【先行技術文献】
【特許文献】
【０００５】
【特許文献１】特開２０１８−９７９２３号公報
【発明の概要】
【発明が解決しようとする課題】
【０００６】
特許文献１に記載の防水性能を有する照明器具は、施工の際に先ず本体ユニットを天井に取り付ける。次に、本体ユニットに取り付けられた点灯ユニットと光源ユニットとを電気的に接続する必要がある。光源ユニットが本体ユニットに固定される前に、点灯ユニットと光源ユニットとの電気的な接続を行う必要がある。このため、本体ユニットに固定前の作業中に光源ユニットが落下するおそれがある。
【０００７】
本発明は、上記課題を解決するためのものであり、施工の際に光源と本体ユニットとの電気的な接続が必要なく、本体ユニットが天井などの被取付部に取り付けられた後に光源の落下が防止できる照明器具を得ることを目的とする。
【課題を解決するための手段】
【０００８】
本発明の照明器具は、被取付部に取り付けられる本体ユニットと、光を照射する光源と、前記本体ユニットに取り付けられ、前記光源を点灯させる点灯装置と、前記光源を保持した光源保持部と、前記光源から出射される光の配光を制御する出射部材と、前記本体ユニットに取り付けられ、前記光源保持部を前記出射部材側に支持するカバー部取付部材と、前記点灯装置、前記光源保持部、前記出射部材及び前記カバー部取付部材を収納するとともに、前記出射部材を露出させる出射口が形成されたカバー部と、前記出射口の隙間を塞ぐパッキンと、を備え、前記カバー部は、前記カバー部取付部材にねじで締結されることにより、前記本体ユニット側に引き寄せられ、前記パッキンは、前記カバー部が前記カバー部取付部材に締結された状態で、前記出射口を囲む前記カバー部、前記出射部材及び前記光源保持部に密着するものである。
【発明の効果】
【０００９】
本発明に係る照明器具によれば、光を照射する光源が本体ユニットに取り付けられている。これにより、光源が予め本体ユニットに取り付けられ、施工の際に光源と本体ユニットとの電気的な接続が必要なく、本体ユニットが天井などの被取付部に取り付けられた後に光源の落下が防止できる。
【図面の簡単な説明】
【００１０】
【図１】実施の形態１に係る照明器具を示す斜視図である。
【図２】実施の形態１に係る照明器具を示す分解斜視図である。
【図３】実施の形態１に係る照明器具を縦断面にて示す説明図である。
【図４】実施の形態１に係る照明器具の図３のＡ部を拡大して示す説明図である。
【図５】実施の形態１に係るカバー部及びパッキンの無い照明器具を示す斜視図である。
【図６】実施の形態１に係るカバー部、パッキン及びホルダの無い照明器具を示す斜視図である。
【図７】実施の形態１に係るカバー部、パッキン、ホルダ、光源及び放熱板の無い照明器具を示す斜視図である。
【図８】実施の形態１に係るパッキン、モニタ用ＬＥＤ及びスイッチを縦断面にて示す説明図である。
【図９】実施の形態１の変形例１に係るカバー部取付部材の取付位置をずらしたカバー部の無い照明器具を示す平面図である。
【図１０】実施の形態１の変形例２に係るカバー側面部が無いカバー部を備える照明器具を縦断面にて示す説明図である。
【図１１】実施の形態１の変形例３に係る照明器具を示す分解斜視図である。
【図１２】実施の形態２に係る照明器具を示す斜視図である。
【図１３】実施の形態２に係る照明器具を示す分解斜視図である。
【図１４】実施の形態２に係る照明器具を縦断面にて示す説明図である。
【発明を実施するための形態】
【００１１】
以下、図面に基づいて実施の形態が説明されている。なお、各図において、同一の符号を付したものは、同一の又はこれに相当するものであり、これは明細書の全文において共通している。また、断面図の図面においては、視認性に鑑みて適宜ハッチングが省略されている。さらに、明細書全文に示す構成要素の形態は、あくまで例示であってこれらの記載に限定されるものではない。
【００１２】
実施の形態１．
＜照明器具１ａの特徴＞
図１は、実施の形態１に係る照明器具１ａを示す斜視図である。図２は、実施の形態１に係る照明器具１ａを示す分解斜視図である。図３は、実施の形態１に係る照明器具１ａを縦断面にて示す説明図である。図４は、実施の形態１に係る照明器具１ａの図３のＡ部を拡大して示す説明図である。図５は、実施の形態１に係るカバー部１０ａ及びパッキン２２の無い照明器具１ａを示す斜視図である。図６は、実施の形態１に係るカバー部１０ａ、パッキン２２及びホルダ９の無い照明器具１ａを示す斜視図である。図７は、実施の形態１に係るカバー部１０ａ、パッキン２２、ホルダ９、光源５及び放熱板２７の無い照明器具１ａを示す斜視図である。図８は、実施の形態１に係るパッキン２２、モニタ用ＬＥＤ４２及びスイッチ４５を縦断面にて示す説明図である。
【００１３】
＜照明器具１ａの構成＞
図３に示すように、照明器具１ａは、天井などの被取付部に固定される。図２に示すように、照明器具１ａは、カバー部１０ａと、光源部２０と、点灯装置３０と、電源端子台４０と、本体ユニット６０と、を備える。
【００１４】
＜カバー部１０ａ＞
図１、図２及び図３に示すように、カバー部１０ａは、点灯装置３０と光源保持部としてのホルダ９及び放熱板２７と出射部材である光学制御部材２１とカバー部取付部材６３ａを収納する。カバー部１０ａは、光学制御部材２１の先端部を露出させる出射口１４が形成されている。
【００１５】
カバー部１０ａは、一端を有底としつつ他端を開口させた筒状に形成されている。カバー部１０ａは、カバー前面部１１とカバー側面部１２とを有する。カバー前面部１１は、一端の有底部分である。カバー側面部１２は、筒状の周面部である。カバー部１０ａは、内部に光源部２０、点灯装置３０及び電源端子台４０を収納する。
【００１６】
図２に示すように、カバー部１０ａの一端側であるカバー前面部１１の中央には、出射口１４が円形に形成されている。カバー部１０ａの他端側には、開口部１６が円形に形成されている。
【００１７】
図１、図２及び図３に示すように、カバー前面部１１の出射口１４の周囲には、収納部１１−１が形成されている。図３に示すように、収納部１１−１は、パッキン２２を保持している。図１及び図２に示すように、収納部１１−１には、表示口１５が複数形成されている。表示口１５は、外部信号を信号受信部に受信可能とする。表示口１５は、図８に示すモニタ用ＬＥＤ４２を照明器具１ａの外側から視認可能とする。
【００１８】
＜カバー部取付部材６３ａ＞
図２、図３、図４及び図５に示すように、カバー部取付部材６３ａは、本体ユニット６０に取り付けられ、カバー部１０ａを本体ユニット６０に引き寄せて締結するとともに、光源保持部であるホルダ９及び放熱板２７を出射部材である光学制御部材２１側に押圧するように支持部６４にて支持する。カバー部取付部材６３ａは、ホルダ９及び放熱板２７を挟むように一対設けられている。カバー部取付部材６３ａは、本体ユニット６０からカバー前面部１１の裏面に至る長さを有する。カバー部取付部材６３ａは、板金をＵ字状に屈曲させて強度を持たせて形成されている。カバー部取付部材６３ａは、カバー部１０ａの裏面と面接触する頂面部を有する。頂面部には、カバー部１０ａとともにカバー部取付ねじ１０−１が螺合される。
【００１９】
カバー部取付部材６３ａは、パッキン２２を保持したホルダ９及び放熱板２７を本体ユニット６０側から支持部６４にて支持している。つまり、カバー部取付部材６３ａは、本体ユニット６０に取り付けられ、支持部６４にてホルダ９及び放熱板２７を光学制御部材２１側に押圧するように支持している。支持部６４は、板金をＵ字状に屈曲させたカバー部取付部材６３ａの先端部の両側屈曲部分に形成されている。
【００２０】
＜カバー部取付ねじ１０−１＞
図１、図２及び図３に示すように、カバー部取付ねじ１０−１は、カバー前面部１１をカバー部取付部材６３ａに締結している。カバー部取付ねじ１０−１には、図示しない樹脂製のシールワッシャーが取り付けられ、ねじ孔とおねじとの間の隙間を塞いでいる。つまり、カバー部取付ねじ１０−１は、防水目的のシールワッシャーを付加させて締結されている。また、カバー部取付ねじ１０−１が脱落防止目的のシールワッシャーを有する。これにより、カバー部取付ねじ１０−１がカバー部１０ａから脱落するおそれを小さくしている。
【００２１】
なお、カバー部１０ａを締結するカバー部取付ねじ１０−１は、２本又はそれ以上複数使用すると、防水性能及び締結力がより増幅できる。また、カバー部取付ねじ１０−１を１本として使用する場合には、カバー部１０ａのねじ締結箇所から離れた部分を本体ユニット６０又はカバー部取付部材６３ａに引っ掛けるなどの方法で別途の固定箇所が設けられると、防水性能及び締結力が確実に得られる。
【００２２】
＜光源部２０＞
図１、図２、図３、図４、図５及び図６にわたって示すように、光源部２０は、光学制御部材２１、光源５、放熱板２７及びホルダ９を有する。
【００２３】
図３に示すように、光学制御部材２１は、図６に示す光源５から出射される光の配光を制御する出射部材である。光学制御部材２１は、ガラスといった不燃材で形成されている。光学制御部材２１は、半球状又はドーム状に形成された光学部２１−１と、光学部２１−１の外周部に形成された鍔部２１−２と、を有する。光学部２１−１は、光源５から出射される光の配光を制御するレンズである。
【００２４】
＜パッキン２２＞
図２及び図５に示すように、パッキン２２は、出射口１４の隙間を塞いでいる。パッキン２２は、シリコンでシート状に形成された部材であり、カバー部１０ａに載置されている。つまり、パッキン２２は、カバー部１０ａに配置されて組み立てられる。なお、パッキン２２は、ホルダ９及び放熱板２７と離間してカバー部１０ａに組み付けても良い。
【００２５】
図３及び図４に示すように、パッキン２２は、パッキン開口部２２−１と薄肉部２２−２と外周部２２−３と最外周部２２−４とを有する。
【００２６】
パッキン開口部２２−１は、パッキン２２の中央に形成されている。パッキン開口部２２−１及び出射口１４は、光学制御部材２１を外部の出射側に露出させている。
【００２７】
薄肉部２２−２は、パッキン開口部２２−１を囲むように形成されている。薄肉部２２−２をホルダ９に接触させた薄肉部２２−２の裏面側は、ホルダ９に形成されたＬ字リブ９３の厚みの分、凹部状に形成されている。薄肉部２２−２の裏面側のうち凹部状に形成された部分は、ホルダ９のＬ字リブ９３に密着して固定されている。薄肉部２２−２の内周側の形状は、カバー前面部１１の収納部１１−１に平行に環状に形成されても良いし、外部の出射側に突出するように形成されても良い。薄肉部２２−２は、外部の出射側に突出するように光学制御部材２１の鍔部２１−２及び光学部２１−１の外周側に載置されている。薄肉部２２−２は、光学制御部材２１とホルダ９と出射口１４の縁部と収納部１１−１との間に配置されて密着している。
【００２８】
外周部２２−３は、薄肉部２２−２を囲むように形成されている。外周部２２−３は、薄肉部２２−２よりも厚く形成されている。外周部２２−３は、ホルダ９に載置されている。外周部２２−３は、ホルダ９と収納部１１−１との間に配置されて押圧されている。
【００２９】
最外周部２２−４は、外周部２２−３を囲むように形成されている。最外周部２２−４は、外周部２２−３よりもホルダ９側に突出するように外周突出部を有して形成されている。最外周部２２−４は、ホルダ９の外周と放熱板２７の内壁との間に配置されて固定されている。
【００３０】
パッキン２２は、カバー部１０ａがカバー部取付部材６３ａに締結された状態で、出射口１４を囲むカバー部１０ａと、出射部材である光学制御部材２１と、光源保持部であるホルダ９及び放熱板２７と、に密着する。そして、パッキン２２は、光学制御部材２１又はホルダ９とカバー前面部１１の収納部１１−１との間に配置されて押圧される。これにより、光学制御部材２１とカバー前面部１１との間がパッキン２２によって密封され、照明器具１ａの防水性が確保されている。
【００３１】
特許文献１の技術では、パッキンがカバー部の開口部側の隙間を塞ぐように光源保持部とともにカバー部に予め取り付けられている。これに対し、図３に示すカバー部１０ａは、取付工事の施工前には光源５を保持した光源保持部から離隔している。ここで光源保持部は、ホルダ９及び放熱板２７である。つまり、カバー部１０ａ側に取り付けられたパッキン２２は、取付工事の施工前には光源５を保持したホルダ９及び放熱板２７とは別のカバー部１０ａに取り付けられている。この場合には、パッキン２２は、ホルダ９及び放熱板２７とは離隔されてカバー部１０ａに配置され組み立てられた状態で出荷される。
【００３２】
ここで、照明器具１ａの施工時には、まず光源５を取り付けた本体ユニット６０が天井に取り付けられる。天井に取り付けられた本体ユニット６０では、光源保持部であるホルダ９及び放熱板２７が下向きになる。よって、パッキン２２が光源保持部であるホルダ９及び放熱板２７に取り付けられていると、パッキン２２が脱落し易い。
【００３３】
これに対し、パッキン２２がカバー部１０ａに配置されていると、パッキン２２がホルダ９及び放熱板２７に取り付けられていないので、パッキン２２が天井に取り付けられた本体ユニット６０からの脱落がより防止される。
【００３４】
モニタ用ＬＥＤ４２の光がパッキン２２を介して透過するように、パッキン２２における表示口１５を覆う箇所の厚さが薄く形成されている。
【００３５】
＜ホルダ９＞
図５に示すように、ホルダ９は、放熱板２７にねじ止めされる。ホルダ９と放熱板２７とは、放熱板２７に載置された図６に示すような光源基板５１を挟持する。ホルダ９は、ホルダ開口９１とＬ字リブ９３とヒンジ部９４と腕部９５とを有する。
【００３６】
ホルダ開口９１は、ホルダ９の中央部に形成されている。ホルダ開口９１は、図６に示すような光源基板５１に実装された光源用ＬＥＤ５２を露出させる。
【００３７】
ホルダ９の表側の面には、断面がＬ字形状である複数のＬ字リブ９３が形成されている。複数のＬ字リブ９３の内面が、光学制御部材２１の鍔部２１−２を保持するように配置されている。部品状態の光学制御部材２１が光軸方向と交差する方向にスライドさせられる。これにより、鍔部２１−２が複数のＬ字リブ９３に当接した状態になり、光学制御部材２１がホルダ９に保持される。
【００３８】
ヒンジ部９４は、ホルダ９の表側の面に設けられている。ヒンジ部９４は、ねじ９４−１を用いて光学制御部材２１をホルダ９に固定する。これにより、ホルダ９が光学制御部材２１を保持した状態になる。
【００３９】
このように、ホルダ９は、Ｌ字リブ９３とヒンジ部９４とを有する。この構成により、ホルダ９は、図６に示すような光源基板５１と図５に示すような光学制御部材２１の光軸を合わせた状態で光学制御部材２１を保持する。
【００４０】
一対の腕部９５は、ホルダ９から放熱板２７の存在しない領域に延伸している。一対の腕部９５のそれぞれの先端部の内側には、図示しない軸部が形成されている。軸部は、点灯装置３０の軸受部３１−５に取り付けられる。
【００４１】
点灯装置３０に取り付けられたホルダ９は軸部を中心に回転自在である。ホルダ９の回転動作により、点灯装置３０の蓄電池３４が交換できる。
【００４２】
＜光源５＞
図６に示すように、光源５は、点灯装置３０から供給される電力により点灯する。つまり、光源５は、光を照射する。光源５は、光源基板５１と、光源基板５１に１又は複数実装された光源用ＬＥＤ５２と、光源基板５１上に実装されるコネクタ５３と、を有する。
【００４３】
光源５は、放熱板２７に載置された状態で、ホルダ９によって放熱板２７に固定されている。光源基板５１と放熱板２７との間には、図示しない熱伝導シートが挟まれても良い。これにより、熱伝導シートが光源基板５１と放熱板２７との接触面における熱抵抗を低減させられる。
【００４４】
＜放熱板２７＞
図６に示すように、放熱板２７は、アルミ合金などの伝熱製の高い金属で形成されている。放熱板２７は、基部２７−１と、基部２７−１の外周側にて基部２７−１より一段高く形成された縁部２７−２と、を有する。
【００４５】
基部２７−１は、光源基板５１及びホルダ９を載置している。基部２７−１は、光源基板５１の裏面と当接する。これにより、基部２７−１は、光源基板５１を介して光源用ＬＥＤ５２から発生する熱を縁部２７−２に伝熱する。放熱板２７の大きさ及び形状は、光源５の出力に応じて適宜変更される。縁部２７−２は、カバー部取付部材６３ａの支持部６４に当接している。
【００４６】
＜点灯装置３０＞
図７に示すように、点灯装置３０は、本体ユニット６０に取り付けられ、光源５を点灯させる。点灯装置３０は、ケース３１とカバー３２と蓄電池３４と図示しない回路基板とを有する。ケース３１及びカバー３２は、樹脂で成形され、嵌合される。嵌合されたケース３１及びカバー３２の内部には、回路基板が保持されている。
【００４７】
＜ケース３１＞
ケース３１の出射側の面は、ケース開口３１−２と、押しボタン３１−３と、を有する。
【００４８】
ケース開口３１−２は、貫通して内部の回路基板に実装された図７に示すような複数のモニタ用ＬＥＤ４２を視認可能にする。
【００４９】
押しボタン３１−３は、押しボタン３１−３の突起と、押しボタン３１−３の突起を囲むようにＵ字状に切り込まれたスリット３１−４と、を有する。これにより、押しボタン３１−３は、回路基板に実装された図８に示すようなスイッチ４５を押すための操作ストロークを確保している。
【００５０】
ケース３１の側面には、一対の軸受部３１−５が形成される。軸受部３１−５には、ホルダ９の軸部が回転可能に取り付けられる。
【００５１】
ケース３１の本体ユニット６０に取り付けられる側の側面には、図３に示すような一対の引っ掛け部３１−６が形成されている。引っ掛け部３１−６は、図示しない固定金具の貫通孔から突出し、天板６１の点灯装置取付穴６１−５に引っ掛けられる。これにより、点灯装置３０は、固定金具及び天板６１に保持される。
【００５２】
ケース３１の底面には、図示しない複数の取付爪部と、図示しない確認穴と、が形成されている。取付爪部は、固定金具に形成されたケース取付穴に嵌合する。確認穴は、ケース３１の内部の回路基板の有無を確認するための穴である。
【００５３】
＜カバー３２＞
カバー３２は、一面が開口された箱状に形成され、内部に実装された回路基板の部品面を覆う。カバー３２の側面には、カバー側ガイド部３２−２と、図示しないカバー側接続部と、図示しない溝部と、が形成されている。
【００５４】
＜蓄電池３４＞
蓄電池３４は、箱状のユニットである。蓄電池３４は、蓄電池側ガイド部３４−２と、図示しないコネクタ部と、図示しない蓄電池固定部と、図示しない蓄電池突出部と、を有する。
【００５５】
蓄電池側ガイド部３４−２とカバー側ガイド部３２−２とが嵌合する。これにより、蓄電池３４は、カバー３２にスライド可能に組み合う。組み合った蓄電池３４を更に押し込むと、蓄電池３４の蓄電池固定部がカバー３２の溝部に嵌合するとともに、蓄電池突出部がカバー３２に当接する。この状態になると、蓄電池３４がカバー３２に固定される。このとき、蓄電池３４のコネクタ部がカバー側接続部に接続される。接続により、蓄電池３４とカバー３２内に収納された回路基板とが電気的に接続される。
【００５６】
＜回路基板＞
回路基板は、商用電源から電力が供給される通常時に蓄電池３４を充電する充電回路と、商用電源からの電力の供給が停止した非常時に蓄電池３４から供給される電力で光源５を点灯させる点灯回路と、を有する。回路基板は、蓄電池３４から供給される電力で建築基準法により規定される定格時間の間、光源５が点灯可能か否かを判定する点検動作に用いる点検回路と、点検動作を開始するための図８に示すようなスイッチ４５と、リモートコントローラにより点検動作を開始するための開始信号を受信する信号受信部と、を有する。
【００５７】
なお、点検動作を開始するためのスイッチ４５は、カバー部１０ａの内側に配置され、カバー部１０ａを取り除いた際に操作できる形態でも良い。また、スイッチ４５は、カバー部１０ａに開口を設け、パッキン２２又は別のパッキンをスイッチ４５上に配し、カバー部１０ａを取り外すことなく、カバー部１０ａの外側から操作できる形態でも良い。
【００５８】
＜本体ユニット６０＞
図３に示すように、本体ユニット６０は、被取付部に取り付けられている。本体ユニット６０は、カバー部１０ａの開口部１６を覆う。本体ユニット６０は、天板６１と防水部材７０とを有する。
【００５９】
本体ユニット６０は、中央に器具取付孔６０−１を有する。器具取付孔６０−１は、外部から電線を引き込む。引き込んだ電線は、点灯装置３０に接続される。本体ユニット６０は、器具取付孔６０−１とは異なる位置にカバー部取付部材６３ａを有する。カバー部取付部材６３ａと器具取付孔６０−１とは、略下方からの投影視にて、重ならない位置に配置されている。
【００６０】
＜カバー部１０ａの取り付け＞
カバー部１０ａは、カバー部取付部材６３ａにカバー部取付ねじ１０−１を用いて締結される。締結により、カバー部１０ａは、本体ユニット６０側に引き寄せられる。パッキン２２を保持した光源保持部であるホルダ９及び放熱板２７は、カバー部取付部材６３ａに本体ユニット６０側から支持される。カバー部取付部材６３ａの支持部６４が縁部２７−２を支持している。
【００６１】
図５に示すように、ホルダ９及び放熱板２７は、蓄電池３４側のカバー部取付部材６３ａの２箇所にて保持されている。一方、押しボタン３１−３側のカバー部取付部材６３ａは、図５ではホルダ９及び放熱板２７を本体ユニット６０側から支持していない。
【００６２】
カバー部１０ａがカバー部取付部材６３ａにカバー部取付ねじ１０−１を用いて締結される。これにより、パッキン２２は、カバー部１０ａの出射口１４の隙間を塞ぐ。このように、パッキン２２は、カバー部１０ａがカバー部取付部材６３ａに締結された状態で、出射口１４を囲むカバー部１０ａと、出射部材である光学制御部材２１と、光源保持部であるホルダ９及び放熱板２７と、に密着する。
【００６３】
＜変形例１＞
図９は、実施の形態１の変形例１に係るカバー部取付部材６３ａの取付位置をずらしたカバー部１０ａの無い照明器具１ａを示す平面図である。図９に示すように、カバー部取付部材６３ａの本体ユニット６０への取り付け位置は、実施の形態１と異なってずれても良い。この場合には、２つのカバー部取付部材６３ａが光源保持部であるホルダ９及び放熱板２７を平面視で対向位置にて挟んで支持できる。
【００６４】
＜変形例２＞
図１０は、実施の形態１の変形例２に係るカバー側面部１２が無いカバー部１０ａを備える照明器具１ａを縦断面にて示す説明図である。なお、照明器具１ａは、天井に直付けされる直付けタイプ以外でも良い。図１０に示すように、照明器具１ａは、天井８０に埋め込まれて設置される埋め込みタイプでも良い。
【００６５】
＜変形例３＞
図１１は、実施の形態１の変形例３に係る照明器具１ａを示す分解斜視図である。図１１に示すように、パッキン２２は、スリット２２ａを有する。スリット２２ａは、パッキン２２の一部を折り曲げ自在にする。これにより、ホルダ９が動くときに、パッキン２２がスリット２２ａの箇所にて折り曲げられ、パッキン２２がホルダ９の動きを妨げない。ここでは、パッキン２２の最外周部２２−４がホルダ９の外周と放熱板２７の内周との間に固定されている。これにより、パッキン２２が光源保持部であるホルダ９及び放熱板２７に取り付けられていても、パッキン２２の脱落が防止される。
【００６６】
＜作用＞
出射部材である光学制御部材２１が出射口１４から突出し、シート状のパッキン２２が出射口１４の隙間を塞ぐ。これにより、ガラスグローブあるいはガラスパネルを用いることなく、照明器具１ａの防水性能が確保できる。
【００６７】
カバー部１０ａと、本体ユニット６０に取り付けられた光源５とが別々の部品である。このため、特許文献１に記載の技術のように、施工時にカバー部と本体ユニットとの間で電気的な接続を行う必要がない。実施の形態１では、施工時に、先ず本体ユニット６０が天井などの被取付部に取り付けられ、電気工事が行われる。次にカバー部１０ａが本体ユニット６０に取り付けられると、防水性能を有する照明器具１ａの取り付けができる。
【００６８】
パッキン２２は、カバー部１０ａからの本体ユニット６０方向への押圧と、カバー部取付部材６３ａから光源保持部であるホルダ９及び放熱板２７を介したカバー部１０ａ方向への押圧と、により、出射口１４の隙間を塞ぐ。このような構成により、カバー部取付ねじ１０−１が締結されると、パッキン２２がカバー部１０ａの出射口１４の隙間に密着させられる。
【００６９】
カバー部１０ａの奥側ではないカバー前面部１１が本体ユニット６０に設けられたカバー部取付部材６３ａに取り付けられる。これにより、カバー部１０ａの取り付けの際に、奥まった箇所でのねじ締めを行う必要がなく、施工時の作業性が向上できる。
【００７０】
＜実施の形態１の効果＞
実施の形態１によれば、照明器具１ａは、被取付部に取り付けられる本体ユニット６０を備える。照明器具１ａは、光を照射する光源５を備える。照明器具１ａは、本体ユニット６０に取り付けられ、光源５を点灯させる点灯装置３０を備える。照明器具１ａは、光源５を保持した光源保持部であるホルダ９及び放熱板２７を備える。照明器具１ａは、光源５から出射される光の配光を制御する出射部材である光学制御部材２１を備える。照明器具１ａは、本体ユニット６０に取り付けられ、ホルダ９及び放熱板２７を光学制御部材２１側に支持するカバー部取付部材６３ａを備える。照明器具１ａは、点灯装置３０と、ホルダ９及び放熱板２７と、光学制御部材２１と、カバー部取付部材６３ａと、を収納するとともに、光学制御部材２１を露出させる出射口１４が形成されたカバー部１０ａを備える。照明器具１ａは、出射口１４の隙間を塞ぐパッキン２２を備える。カバー部１０ａは、カバー部取付部材６３ａにカバー部取付ねじ１０−１を用いて締結されることにより、本体ユニット６０側に引き寄せられている。パッキン２２は、カバー部１０ａがカバー部取付部材６３ａに締結された状態で、出射口１４を囲むカバー部１０ａ、光学制御部材２１、ホルダ９及び放熱板２７に密着している。
【００７１】
この構成によれば、光源５が予め本体ユニット６０に取り付けられ、施工の際に光源５と本体ユニット６０との電気的な接続が必要なく、本体ユニット６０が天井などの被取付部に取り付けられた後に光源５の落下が防止できる。また、出射部材である光学制御部材２１が出射口１４から突出し、シート状のパッキン２２が出射口１４の隙間を塞ぐ。これにより、ガラスグローブあるいはガラスパネルを用いることなく、照明器具１ａの防水性能が確保できる。
【００７２】
実施の形態１によれば、パッキン２２は、カバー部１０ａに配置されて組み立てられている。
【００７３】
照明器具１ａの施工時には、先ず光源５を保持した本体ユニット６０が天井などの被取付部に取り付けられる。被取付部に取り付けられた本体ユニット６０では、ホルダ９及び放熱板２７が下向きになる。よって、パッキン２２がホルダ９及び放熱板２７に取り付けられていると、パッキン２２が脱落するおそれがあり、最外周部２２−４で固定する必要がある。一方、パッキン２２がカバー部１０ａに配置されていると、天井などの被取付部に取り付けられた本体ユニット６０にはパッキン２２が配置されず、照明器具１ａの本体ユニット６０への施工時にパッキン２２の脱落が防止できる。
【００７４】
実施の形態１によれば、カバー部取付ねじ１０−１は、シールワッシャーを付加させて締結されている。
【００７５】
この構成によれば、脱落防止目的のシールワッシャーがカバー部取付ねじ１０−１に更に取り付けられる。これにより、防水性を確保するとともに、カバー部１０ａからのカバー部取付ねじ１０−１の脱落の可能性が低減できる。
【００７６】
実施の形態１によれば、カバー部取付部材６３ａは、略下方からの投影視にて、本体ユニット６０に設けられた器具取付孔６０−１と重ならない位置に配置されている。
【００７７】
この構成によれば、カバー部１０ａの取付応力が本体ユニット６０を介して天井などの被取付部に受け止められて器具取付孔６０−１に向かって直接的に伝わらない。これにより、カバー部１０ａの取付時に天井などの被取付部に取り付けられた本体ユニット６０の器具取付孔６０−１への過剰な入り込みが防止できる。
【００７８】
実施の形態２．
＜照明器具１ｂ＞
図１２は、実施の形態２に係る照明器具１ｂを示す斜視図である。図１３は、実施の形態２に係る照明器具１ｂを示す分解斜視図である。図１４は、実施の形態２に係る照明器具１ｂを縦断面にて示す説明図である。実施の形態２では、実施の形態１と同事項の説明が省略され、その特徴部分のみが説明されている。
【００７９】
＜カバー部１０ｂ＞
図１２、図１３及び図１４に示すように、カバー部１０ｂは、点灯装置３０と、ホルダ９と、放熱板２７と、光学制御部材２１と、支持部材６３ｂと、を収納する。カバー部１０ｂは、光学制御部材２１を露出させる出射口１４が形成されている。カバー部１０ｂは、カバー前面部１１と、カバー側面部１２と、取付部１３と、を有する。
【００８０】
＜取付部１３＞
取付部１３は、カバー部１０ｂの他端側である開口部１６の外側縁部に設けられている。取付部１３は、外周方向に突出したフランジ形状に形成されている。取付部１３が本体ユニット６０にカバー部取付ねじ１０−１を用いて締結される。締結により、カバー部１０ｂが本体ユニット６０に引き寄せられている。取付部１３には、カバー部締結孔１３−１が複数形成されている。
【００８１】
＜支持部材６３ｂ＞
支持部材６３ｂは、パッキン２２を保持したホルダ９及び放熱板２７を本体ユニット６０側から支持部６４にて支持している。つまり、支持部材６３ｂは、本体ユニット６０に取り付けられ、支持部６４にてホルダ９及び放熱板２７を光学制御部材２１側に支持している。図１２に示すように、ホルダ９及び放熱板２７は、２つの支持部材６３ｂにおけるたとえば４箇所といった複数の支持部６４によって本体ユニット６０側から支持されている。実施の形態２では、支持部６４の支持範囲が実施の形態１よりも大きい。
【００８２】
＜環凸部６１−２＞
天板６１には、外周側に環凸部６１−２が形成されている。環凸部６１−２には、カバー部取付孔６１−８が複数形成されている。カバー部取付孔６１−８は、皿取り状に加工され、めねじが切られている。カバー部取付孔６１−８には、カバー部取付ねじ１０−１が螺合される。
【００８３】
＜カバー部１０ｂの取り付け＞
カバー部締結孔１３−１とカバー部取付孔６１−８とがカバー部取付ねじ１０−１を用いて締結される。これにより、カバー部１０ｂが天板６１に保持される。つまり、カバー部１０ｂが天板６１を介して本体ユニット６０にカバー部取付ねじ１０−１を用いて締結される。これにより、カバー部１０ｂが本体ユニット６０側に引き寄せられている。
【００８４】
カバー部１０ｂが天板６１を介して本体ユニット６０にカバー部取付ねじ１０−１を用いて締結される。これにより、パッキン２２は、カバー部１０ｂの出射口１４の隙間を塞ぐ。パッキン２２は、カバー部１０ｂが本体ユニット６０に締結された状態で、出射口１４を囲むカバー部１０ｂ、光学制御部材２１、ホルダ９及び放熱板２７に密着している。
【００８５】
＜作用＞
カバー部１０ｂが本体ユニット６０の平面視で周側に配置された取付部１３で締結される。これにより、パッキン２２が均一に押圧できる。特に、カバー部締結孔１３−１とカバー部取付孔６１−８との数が多くなるほど、パッキン２２の押圧力がカバー部締結孔１３−１とカバー部取付孔６１−８との数の分だけ周方向で分散される。
【００８６】
＜実施の形態２の効果＞
実施の形態２によれば、照明器具１ｂは、被取付部に取り付けられる本体ユニット６０を備える。照明器具１ｂは、光を照射する光源５を備える。照明器具１ｂは、本体ユニット６０に取り付けられ、光源５を点灯させる点灯装置３０を備える。照明器具１ｂは、光源５を保持する光源保持部であるホルダ９及び放熱板２７を備える。照明器具１ｂは、光源５から出射される光の配光を制御する出射部材である光学制御部材２１を備える。照明器具１ｂは、本体ユニット６０に取り付けられ、ホルダ９及び放熱板２７を光学制御部材２１側に支持する支持部材６３ｂを備える。照明器具１ｂは、点灯装置３０、ホルダ９、放熱板２７、光学制御部材２１、支持部材６３ｂを収納するとともに、光学制御部材２１を露出させる出射口１４が形成されたカバー部１０ｂを備える。照明器具１ｂは、出射口１４の隙間を塞ぐパッキン２２を備える。カバー部１０ｂは、天板６１を介して本体ユニット６０にカバー部取付ねじ１０−１を用いて締結されることにより、本体ユニット６０側に引き寄せられている。パッキン２２は、カバー部１０ｂが天板６１を介して本体ユニット６０に締結された状態で、出射口１４を囲むカバー部１０ｂ、光学制御部材２１、ホルダ９及び放熱板２７に密着している。
【００８７】
この構成によれば、光源５が予め本体ユニット６０に取り付けられ、施工の際に光源５と本体ユニット６０との電気的な接続が必要なく、本体ユニット６０が天井などの被取付部に取り付けられた後に光源５の落下が防止できる。また、出射部材である光学制御部材２１が出射口１４から突出し、シート状のパッキン２２が出射口１４の隙間を塞ぐ。これにより、ガラスグローブあるいはガラスパネルを用いることなく、照明器具１ｂの防水性能が確保できる。
【符号の説明】
【００８８】
１ａ  照明器具、１ｂ  照明器具、５  光源、９  ホルダ、１０−１  カバー部取付ねじ、１０ａ  カバー部、１０ｂ  カバー部、１１  カバー前面部、１１−１  収納部、１２  カバー側面部、１３  取付部、１３−１  カバー部締結孔、１４  出射口、１５  表示口、１６  開口部、２０  光源部、２１  光学制御部材、２１−１  光学部、２１−２  鍔部、２２  パッキン、２２−１  パッキン開口部、２２−２  薄肉部、２２−３  外周部、２２−４  最外周部、２２ａ  スリット、２７  放熱板、２７−１  基部、２７−２  縁部、３０  点灯装置、３１  ケース、３１−２  ケース開口、３１−３  押しボタン、３１−４  スリット、３１−５  軸受部、３１−６  引っ掛け部、３２  カバー、３２−２  カバー側ガイド部、３４  蓄電池、３４−２  蓄電池側ガイド部、４０  電源端子台、４２  モニタ用ＬＥＤ、４５  スイッチ、５１  光源基板、５２  光源用ＬＥＤ、５３  コネクタ、６０  本体ユニット、６０−１  器具取付孔、６１  天板、６１−２  環凸部、６１−５  点灯装置取付穴、６１−８  カバー部取付孔、６３ａ  カバー部取付部材、６３ｂ  支持部材、６４  支持部、７０  防水部材、８０  天井、９１  ホルダ開口、９３  Ｌ字リブ、９４  ヒンジ部、９４−１  ねじ、９５  腕部。
【図１】
2020177750.tif 000003
【図２】
2020177750.tif 000004
【図３】
2020177750.tif 000005
【図４】
2020177750.tif 000006
【図５】
2020177750.tif 000007
【図６】
2020177750.tif 000008
【図７】
2020177750.tif 000009
【図８】
2020177750.tif 000010
【図９】
2020177750.tif 000011
【図１０】
2020177750.tif 000012
【図１１】
2020177750.tif 000013
【図１２】
2020177750.tif 000014
【図１３】
2020177750.tif 000015
【図１４】
2020177750.tif 000016